(57)【要約】 【課題】  少ない設備投資で建物の監視領域内にＡＥＤを設置できると共に、ＡＥＤの使用状態を報知することができる火災報知設備を提供する。【解決手段】  消火栓収納箱１に発信機２、ＡＥＤ３及びＡＥＤ３の使用検知装置４を設け、発信機２と火災受信機５とを接続する共通線Ｃ、電話線Ｔに使用検知装置４を並列に接続し、ＡＥＤ３が使用された場合は使用検知装置４が共通線Ｃ、電話線Ｔを断続的に短絡した短絡信号を検知信号として火災受信機５に出力する。火災受信機５には前記出力された検知信号を解析する解析装置６を設ける。【選択図】図２
2018106378.tif 000002
【特許請求の範囲】
【請求項１】
火災受信機と、
共通線、信号線、応答線及び通話用の電話線で前記火災受信機と接続された発信機と、
を備える火災報知設備において、
前記電話線と前記共通線の間に、前記発信機と並列に接続され、自動体外式除細動器の取り外しを検知する使用検知手段を備え、
前記自動体外式除細動器が取り外されると、前記使用検知手段は前記電話線を介して検知信号を出力し、前記検知信号を受信した前記火災受信機が前記自動体外式除細動器が使用されていることを報知することを特徴とする火災報知設備。
【請求項２】
前記検知信号は、断続的な短絡信号であることを特徴とする請求項１記載の火災報知設備。
【請求項３】
前記自動体外式除細動器と前記使用検知手段が複数設けられ、
複数の前記使用検知手段は、各々異なった個別情報を有する前記検知信号を出力することを特徴とする請求項１または２記載の火災報知設備。
【請求項４】
前記火災受信機は、前記個別情報を解析する解析装置を備えたことを特徴とする請求項３記載の火災報知設備。
【請求項５】
前記自動体外式除細動器の使用者に対する通話手段及び／または情報伝達手段を備えたことを特徴とする請求項１乃至４のいずれかに記載の火災報知設備。
【発明の詳細な説明】
【技術分野】
【０００１】
本発明は、ビル等に設けられる自動体外式除細動器を備えた火災報知設備に関するものである。
【背景技術】
【０００２】
自動体外式除細動器（以下、「ＡＥＤ」という。）は、様々な態様でビル等の建物内に設けられた専用の収納箱に収納されており、救命活動時には収納箱からＡＥＤが取り出されて心停止している救命対象者に使用される。ＡＥＤが使用された際には、設置場所の管理者等（ＡＥＤが設置されているビル等の管理者、防災センター要員又は警備要員等）に対してＡＥＤの使用を報知することが望ましい。設置場所の管理者等がＡＥＤの使用を把握できれば、迅速な救命活動のサポートや救急車を呼ぶ等の措置を行うことができる。
【０００３】
しかし、従来は、収納箱は単にＡＥＤを収納するものに過ぎず、ＡＥＤの使用状態を報知することができなかった。そのため、設置場所の管理者等はＡＥＤの使用状態を把握できず、状況に応じた措置を迅速に取ることができないという問題が生じていた。
【０００４】
設置場所の管理者等にＡＥＤの使用状態が判るようにするためには、ＡＥＤの使用状態等を報知する機能を有する装置や配線をビル等の建物内に設けなければならず、コストを要すると共に装置や配線の設置場所を確保することが困難であった。特許文献１のような火災受信機は、建物を管理する者の近傍に置かれることが多いため、火災受信機にＡＥＤ使用状態を報知する機能を持たせることが考えられる。しかし、ＡＥＤ使用状態を報知する機能を有した火災受信機に取り替えたり、新たに配線をビル等の建物内に設けたりしなければならず、設備投資等に多大なコストがかかるという問題があった。
【先行技術文献】
【特許文献】
【０００５】
【特許文献１】特公平６−１６３１７号公報
【発明の概要】
【発明が解決しようとする課題】
【０００６】
そこで、本発明は、少ない設備投資で建物の監視領域内にＡＥＤを設置できると共に、ＡＥＤの使用状態を報知することができる火災報知設備を提供することを課題とするものである。
【課題を解決するための手段】
【０００７】
本発明は、上述した課題を解決するためのものであり、以下の構成を有する。
【０００８】
（１）本発明は、火災受信機と、共通線、信号線、応答線及び通話用の電話線で前記火災受信機と接続された発信機と、を備える火災報知設備において、前記電話線と前記共通線の間に、前記発信機と並列に接続され、自動体外式除細動器の取り外しを検知する使用検知手段を備え、前記自動体外式除細動器が取り外されると、前記使用検知手段は前記電話線を介して検知信号を出力し、前記検知信号を受信した前記火災受信機が前記自動体外式除細動器が使用されていることを報知することを特徴とする火災報知設備である。
【０００９】
本発明によれば、火災報知設備に設けられた電話線にＡＥＤの取り外しを検知する使用検知手段を並列に接続することにより、火災受信機にＡＥＤが収納箱から取り外され、救命活動が行われていることを報知することができる。そのため、火災報知設備に設けられた既存の火災受信機等の設備を用いることができ、新たな配線を設ける必要もない。
【００１０】
（２）また、本発明は、前記検知信号は、断続的な短絡信号であることを特徴とする（１）記載の火災報知設備である。
【００１１】
一般に、火災報知設備のＰ型１級の発信機は、通話用の電話ジャックを備えている。電話ジャックは、共通線及び電話線で火災受信機と繋がっている。そして、設備点検の際に、検査員が送受話器のプラグを電話ジャックに差し込んで、火災受信機が設置された部屋にもう１人いる検査員等と通話する。発信機の電話ジャックに送受話器のプラグを差し込む（共通線と電話線を短絡させる）と、火災受信機の電話灯が点滅し、電話音響が鳴動する。本発明によれば、ＡＥＤが取り外された検知信号として断続的な短絡信号を出力することで、断続的な短絡信号を受信した火災受信機は断続的な電話音響を鳴動させる。そのため、管理者等は発信機の電話ジャックに送受話器のプラグを接続したのか、ＡＥＤが使用されて使用検知手段から検知信号が出力されたのかを、区別して知ることができる。
【００１２】
（３）また、本発明は、前記自動体外式除細動器と前記使用検知手段が複数設けられ、複数の前記使用検知手段は、各々異なった個別情報を有する前記検知信号を出力することを特徴とする（１）または（２）記載の火災報知設備である。
【００１３】
本発明によれば、使用検知手段が建物の監視領域内におけるＡＥＤの設置場所等の個別情報を火災受信機に送信することで、ＡＥＤが収納箱から取り外されて使用されていることのみならず、建物内に複数設置されたＡＥＤのうち、どのＡＥＤが使用されているかを特定することができる。そのため、設置場所の管理者等（防災センター要員、ビル管理者等）が建物内の救命対象者がいるおよそのエリアが分かるため救命活動の場所に迅速に駆けつけることができる。また、連絡した救急救命士等に使用されたＡＥＤの位置を知らせることもできる。なお、本発明でいう個別情報とは、ＡＥＤや火災報知設備における各装置の個別番号、製造番号だけでなくＡＥＤや使用状態や、建物内におけるそれらの設置場所等の情報を含む。また、信号としては音声信号も含む。
【００１４】
例えば、個別情報を有する検知信号としては、建物内の複数の消火栓収納箱に設けられたＡＥＤに予め個別情報として個別番号を１番，２番，３番，４番・・・と付与しておき、３番のＡＥＤが使用されたときは、断続的に３回、共通線と電話線を短絡させる。そうすると、受信機側で電話音響が３回鳴動するので３番のＡＥＤが使用されていることを知ることができる。このように、検知信号の断続回数が個別番号を表すように検知信号が個別情報を有することで、建物内に設置されたどのＡＥＤが使用されているか建物の関係者等に伝わるので、建物の監視領域内の救命活動が行われているおよそのエリアを特定でき、建物の関係者等が迅速に使用者をサポートすることができる。
【００１５】
（４）また、本発明は、前記火災受信機は、前記個別情報を解析する解析装置を備えたことを特徴とする（３）記載の火災報知設備である。
【００１６】
本発明によれば、使用検知手段により出力された短絡信号による個別情報を解析装置で解析して、液晶ディスプレイ、７セグメントディスプレイ等の表示装置や音や音声等を出力するスピーカー等で個別情報を出力することで、より明確に建物の監視領域内におけるＡＥＤの使用状態や使用場所を防災センター要員等に知らせることができる。
【００１７】
（５）また、本発明は、通話手段及び／または情報伝達手段を設けたことを特徴とする（１）乃至（４）のいずれかに記載の火災報知設備である。
【００１８】
本発明によれば、発信機に付属の電話ジャックとは別に電話線にマイクとスピーカー等の通話手段を設けることにより、発信機と火災受信機が接続されている電話線を介して、ＡＥＤを持ち出そうとする使用者と設置場所の管理者等が通話することができる。そのため、火災受信機が設置されている管理センター等から、使用者に対しての助言を行ったり、医師、救急センター等に使用者から得た心停止した救命対象者の情報を伝えたりすることができる。また文字や音声を記憶装置に記憶しておき、火災報知設備に設けた液晶ディスプレイ等の表示装置やスピーカー等の情報伝達手段により出力することにより、建物内の火災報知設備の設置場所を通知したり、ＡＥＤや火災報知設備の使用方法等を伝えたりすることができる。なお、本発明でいう情報伝達手段とは、液晶ディスプレイ等の表示装置やスピーカー等のみならず、上記（３）でいう個別情報を記載したパネルやシール等の標識等も含むものである。
【発明の効果】
【００１９】
本発明によれば、既存の火災報知設備の電話線を利用することで、簡単で施工コストをかけずに防災センター要員等の管理者等に火災報知設備に設置したＡＥＤの使用状態を報知することができる。また防災センター要員等の管理者等がＡＥＤを使用する使用者に対して迅速且つ適切なサポートをすることができる。
【図面の簡単な説明】
【００２０】
【図１】本発明の実施例１における火災報知設備の消火栓収納箱１の正面図。
【図２】本発明の実施例１における火災報知設備の概要を示すブロック図。
【図３】本発明の実施例１における使用検知装置４のＡＥＤ使用報知処理のフローチャート。
【図４】本発明の実施例１における使用検知装置４が出力する検知信号を示す図。
【図５】本発明の実施例１における解析装置６の構成の概要を示すブロック図。
【図６】本発明の実施例１における解析装置６の回路の一例を示す図。
【図７】本発明の実施例１における火災受信機５に設けた表示装置５１，５２，５３，５４，５５と解析装置６の接続の状態を示すブロック図。
【図８】本発明の実施例２における使用検知装置４が出力する検知信号を示す図。
【発明を実施するための形態】
【００２１】
本発明はＡＥＤ（自動体外式除細動器）の使用状態を防災センター要員等の管理者等に報知することを目的とする火災報知設備である。以下、本発明を実施するための形態について説明する。
【実施例１】
【００２２】
図１は、本発明の実施例１における火災報知設備の消火栓収納箱１を示す正面図である。１は消火栓収納箱、２は火災用の非常ボタン２１と電話ジャック２２を備えた発信機、３はＡＥＤ、４はＡＥＤ３の使用検知装置、７はマイク、８は火災報知用のベルと共に消火栓収納箱１内に内蔵されているスピーカー、９は通話ボタン、１０は液晶ディスプレイ、１１は発信機２の位置を示す表示灯である。消火栓収納箱１の下部のホース収納部に相当する下部収納箱１ａにおいて、扉の左上部は透明板で形成されており、内部に設置されたＡＥＤ３が外から見えるようになっている。なお、下部収納箱１ａは全て板金等の不透明な素材で構成されても良く、その場合はＡＥＤ３が収納されている旨を示す表示板等を設置する。また、図２は、実施例１における火災報知設備の電気的構成を示すブロック図である。５はＰ型１級の火災受信機、６は解析装置である。
【００２３】
一般に、Ｐ型１級の火災報知設備においては図２に示すように、発信機２と火災受信機５が信号線Ｌ、応答線Ａ、共通線Ｃ、通話用の電話線Ｔの４つの配線で接続されている。そして、発信機２の電話ジャック２２に送受話器（図示せず）のプラグを差し込むと、電話線Ｔと共通線Ｃが短絡して通話信号として電話線Ｔに電流が流れる。そして、通話信号を火災受信機５の制御回路が受信し、火災受信機５の電話灯が点滅して電話音響が鳴動する。また、火災受信機５の電話ジャック（図示せず）に送受話器（図示せず）のプラグを差し込むと、火災受信機５の制御回路により電話音響が停止して電話灯（図示せず）が点灯し、発信機２と火災受信機５の間で通話することができる。本発明では、電話線Ｔと共通線Ｃには、発信機２の側にＡＥＤ３の使用検知手段として使用検知装置４が発信機２と並列に接続される。また、火災受信機５側には、使用検知装置４から出力された信号を解析する解析装置６が接続されている。
【００２４】
本発明の実施例１においては、ＡＥＤ３と使用検知装置４は、図１に示すように消火栓収納箱１の下部収納箱１ａ内に収納され、使用検知装置４は、ＡＥＤ３に隣接して設けられている。また、使用検知装置４は、図２に示すように電話線Ｔと共通線Ｃに発信機２と並列に接続している。そして、使用検知装置４は、火災受信機５と通信するための通信部４１、使用検知装置４の各部を制御するためのＣＰＵやＲＯＭ等から構成された制御部４２、制御部４２を動かすためのプログラム等や個別情報等のデータが記憶された記憶部４３、ＡＥＤ３が取り外されたことを検知する取外検知部４４、消火栓収納箱１に設けたマイク７とスピーカー８と通話ボタン９が制御部４２を介して接続されている通話部４５（通話手段に相当）、及び情報伝達手段としてＡＥＤ３を使用する使用者に現在位置や管理者への電話番号等を知らせるための液晶ディスプレイ１０が設けられた表示部４６から構成されている。
【００２５】
次に、ＡＥＤ３が使用されていることを使用検知装置４が火災受信機５に報知するＡＥＤ使用報知処理について説明する。図３は、使用検知装置４のＡＥＤ使用報知処理のフローチャートである。また、図４は使用検知装置４が出力する検知信号の動作を示す図であり、図４（１）は検知信号として３つの短絡信号を断続的に出力した場合を示した図、図４（２）は検知信号として５つの短絡信号を断続的に出力した場合を示した図である。
【００２６】
ＡＥＤ３の使用検知装置４と接する側面には磁性体が設けられており（図示せず）、使用検知装置４の磁性体に接する側面には取外検知部４４としてリードスイッチが設けてある。そして、使用者等が下部収納箱１ａの扉を開いてＡＥＤ３を取り出すと、リードスイッチが作動し、取外検知部４４はＡＥＤ３が取り外されて使用状態にあることを検知する（ステップＳ１）。次に制御部４２が、記憶装置に記憶された個別情報のデータに基づいて電話線Ｔと共通線Ｃを断続的に短絡することで検知信号を火災受信機５に出力する（ステップＳ２）。
【００２７】
ステップＳ２での電話線Ｔと共通線Ｃの短絡の断続回数については、例えば建物内に複数設置された消火栓収納箱１に収納されたＡＥＤ３に予め各々異なった個別情報として各々異なった個別番号を付与しておく。そして、個別番号がｎ番である場合に、電話線Ｔと共通線Ｃの間の短絡と開放をｎ回繰り返して検知信号を火災受信機５に出力する。ＡＥＤ３の個別番号が３番である場合は、図４（１）に示すようにｔ１時間毎に断続的に３回（ｎ＝３）、電話線Ｔと共通線Ｃを短絡させる。なお、電話線Ｔと共通線Ｃの間の短絡と開放をｎ回繰り返した後は、電話線Ｔと共通線Ｃの間は開放状態となる。
【００２８】
次に、ステップＳ２の短絡と開放をｎ回繰り返した後において、ＡＥＤ３の使用状態が継続しているかをステップＳ１と同様に取外検知部４４が検知する（ステップＳ３）。使用状態が継続している場合（リードスイッチが作動している場合）、つまりＡＥＤ３が下部収納箱１ａに戻されていない場合は、一定時間ｔ２の経過後（ステップＳ４）に、再びステップＳ２に回帰して検知信号として断続的な短絡信号を火災受信機５に出力する。
【００２９】
火災受信機５は、本来的に、発信機２の電話ジャック２２に送受話器のプラグを差し込んだ際の、電話線Ｔと共通線Ｃ間が短絡する短絡信号を受信した時に電話音響を鳴動する機能を有している。そのため、ＡＥＤ３の使用による断続的な短絡信号を受信した火災受信機５は、電話音響を断続的にｎ回鳴動する。上記したようにＡＥＤ３の個別番号が３番である場合は、３回鳴動する。火災受信機５のこの断続的な電話音響により、火災受信機５が設置されている部屋にいる管理者等は、ＡＥＤ３が使用されていること、及び使用されているＡＥＤ３の個別番号が３番であることを知ることができる。個別番号の５番を付与したＡＥＤ３が取り外された場合は、ステップＳ２において、図４（２）に示すように断続的に５回（ｎ＝５）、電話線Ｔと共通線Ｃを短絡させる。そして、火災受信機５の電話音響が断続的に５回鳴動し、ＡＥＤ３が使用されていること、及び５番のＡＥＤ３が使用されていることを火災受信機５が設置されている部屋にいる管理者等に知らせることができる。
【００３０】
また、ＡＥＤ３の建物内の設置場所や緊急時の電話番号等の情報を記憶部４３に記憶して、表示部４６の液晶ディスプレイ１０に表示したり、通話部４５のスピーカー８で音声出力したりすることもできる。ＡＥＤ３の使用者は消防署や管理者等にそれらの情報を元に連絡をすることができる。なお、消火栓収納箱１等に上記の情報を記載したプレートを設けてもよい。
【００３１】
更に火災受信機５の電話ジャックに送受話器を接続して用いる場合は、ＡＥＤ３を使用する使用者等が通話ボタン９を押すことで、制御部４２が短絡信号を火災受信機５に出力するＡＥＤ使用報知処理を一時停止する。そうして、電話線Ｔと共通線Ｃを短絡させ、通話部４５に接続されたマイク７とスピーカー８を電話線Ｔと共通線Ｃに接続し、火災受信機５の設置している部屋にいる防災センター要員等と通話をすることができる。また、ＡＥＤ使用報知処理を一定時間行った後に自動的に断続的な短絡信号の出力を停止させ、短絡状態を保持するようにしてもよい。そうすると、電話線Ｔと共通線Ｃが短絡し、通話部４５に接続されたマイク７とスピーカー８が電話線Ｔと共通線Ｃに接続するため、通話ボタン９を押さなくても火災受信機５の設置している部屋にいる管理者等と通話をすることができる。このとき、使用検知装置４は、記憶部４３に記憶されたＡＥＤ３の個別番号と建物内の設置場所を、通信部４１から電話線Ｔと共通線Ｃを介して火災受信機５に音声で出力することもできる。
【００３２】
なお、使用検知装置４にはＡＥＤ使用報知処理を停止する停止スイッチ（図示せず）が設けてあり、救命活動が終わった後、つまりＡＥＤ３の使用が終了した後等は、当該停止スイッチにより、ＡＥＤ使用報知処理を停止させることができる。
【００３３】
次に本発明の実施例１における解析装置６について説明する。解析装置６は、図２に示すように火災受信機５に接続されている。図５は、実施例１における解析装置６の構成の概要を示すブロック図であり、図６は、その解析装置６の回路の一例を示す図である。６１は火災受信機５から共通線Ｃを介して供給される電源電圧を、所定の電圧値、例えば５（Ｖ）等にする定電圧回路、６２は使用検知装置４から出力された断続的な短絡信号を検出する電流検出回路、６３は断続的な短絡信号を解析して液晶、ＬＥＤ、７セグメグメント等で構成される表示装置やスピーカー等で構成される出力装置６４にその解析結果を出力するＣＰＵやＣＰＵに内蔵されたＲＯＭ等で構成された制御部である。なお、実施例１では、出力装置６４は液晶ディスプレイおよびスピーカーにより構成される。ＬＸ１，ＬＸ２，ＬＸ３，ＬＸ４，ＬＸ５は、断続的な短絡信号を制御部６３が解析して、後述する火災受信機５に設けられた各表示装置５１〜５５に信号を出力するための接続端子である。なお、本実施例の形態では出力装置６４の表示装置として液晶ディスプレイとしたが、ＬＥＤや７セグメント等で構成されたディスプレイを使用しても良い。
【００３４】
使用検知装置４から送られてきた断続的な短絡信号は、電流検出回路６２により検出され、制御部６３は検出された断続回数をカウントし、その回数を液晶ディスプレイとスピーカーで構成される出力装置６４の液晶ディスプレイに表示する。例えば、前述のようにＡＥＤ３に付与された個別番号が３番である場合、３回の断続的な短絡信号が電話線Ｔから火災受信機５を介して電流検出回路６２に入力され、制御部６３により断続回数がカウントされる。そして制御部６３は出力装置６４の液晶ディスプレイに数字の「３」や「３番のＡＥＤが使用されています」等の文字を表示する。なお、制御部６３のＣＰＵに内蔵されたＲＯＭ等の記憶装置に記憶された音声と組み合わせることで、出力装置６４のスピーカーを使用して、「３番のＡＥＤが使用されています。」等の音声を出力することができる。
【００３５】
図７は、本発明の実施例１における火災受信機２に設けた表示装置５１，５２，５３，５４，５５と解析装置６の接続態様を示すブロック図である。図７中、解析装置６と表示装置５１，５２，５３，５４，５５は火災受信機５の各々の接続端子ＬＸ１，ＬＸ２，ＬＸ３，ＬＸ４，ＬＸ５で接続されている。表示装置５１，５２，５３，５４，５５は、接続端子ＬＸ１，ＬＸ２，ＬＸ３，ＬＸ４，ＬＸ５を通じて解析装置６が出力した信号を入力して、表示装置５１，５２，５３，５４，５５に設けてあるＬＥＤ（図示せず）を点灯させて管理者等にＡＥＤ３の使用を報知することができる。一般に火災受信機は、外部機器を接続する外部入力端子（諸警報端子）と、外部入力端子に接続された外部機器の動作状態を表示する表示装置（諸表示）を備えている。本実施例では接続端子ＬＸ１，ＬＸ２，ＬＸ３，ＬＸ４，ＬＸ５が諸警報端子、表示装置５１，５２，５３，５４，５５が諸表示に該当する。なお、火災受信機５を構成するＣＰＵ等の内部装置と表示装置５１，５２，５３，５４，５５との構成の説明は省略する（図示せず）。
【００３６】
図７の動作について説明すると、３番の番号を付与されたＡＥＤ３が使用された場合は、制御部６３は接続端子ＬＸ３に信号を出力し、表示装置５３はＬＥＤを点灯させる。同様に使用されたＡＥＤ３に付与された番号が５の場合は、解析装置６の制御部６３は、接続端子ＬＸ５から信号を出力し、表示装置５５はＬＥＤを点灯させる。従って管理者等は火災受信機５に設けた表示装置５１，５２，５３，５４，５５のＬＥＤの表示を見るだけで、ＡＥＤ３が使用されたことと、救命対象者がいる建物内のおよそのエリアを把握することができる。このように、表示装置５１，５２，５３，５４，５５を解析装置６の解析結果を出力する出力装置として使用することができる。また、解析装置６の別の実施例の構成として出力装置６４を備えていないものでもよい。この場合、解析装置６と表示装置５１，５２，５３，５４，５５は各々の接続端子ＬＸ１，ＬＸ２，ＬＸ３，ＬＸ４，ＬＸ５で接続される。そして解析結果を出力する出力装置として火災受信機５に備えた表示装置５１，５２，５３，５４，５５を使用することができる。
【００３７】
以上、本発明によれば火災報知設備の消火栓収納箱にＡＥＤを設置することでＡＥＤの設置場所を新たに設ける必要がなく、また消火栓収納箱の空きスペースを有効活用することができる。また既存の火災報知設備の共通線Ｃ、電話線Ｔを利用することで、ＡＥＤの使用状態を報知するために新たに配線をすることがなく、火災報知設備のリニューアルをする際には既設の発信機、火災受信機及び配線をそのまま使用することができるので、設備投資を少なくかつ容易に施工することができる。また上記の簡単な施工により、管理者等に火災報知設備に設置したＡＥＤの使用状態と使用されたＡＥＤの設置場所等を報知することができる。このため管理者等がＡＥＤを使用して救助活動をする使用者に対して迅速且つ適切なサポートをすることができるので、救命対象者の生存率が高くなるという効果がある。なお、解析装置６の機能は火災受信機の中に組み込んでも良く、その場合、既存の火災受信機を更新する必要はあるが、新たに火災報知設備を導入する際には施工性が向上する。
【実施例２】
【００３８】
図８は、本発明の実施例２における使用検知装置４が出力する検知信号を示す図である。実施例１では、使用検知装置４が出力する検知信号は断続的な短絡であり、かつ短絡の回数によりＡＥＤ３の個別情報を通知するものであった。一方、図８に示す実施例２においては、使用者等が下部収納箱１ａの扉を開いてＡＥＤ３を取り出したときに、使用検知装置４の制御部４２は通信部４１に図８に示すように電話線Ｔと共通線Ｃを連続して断続的に短絡させるのみであって、実施例１のように断続的な短絡の回数による個別情報は有さない。この場合、管理者等は電話灯が点滅し、電話音響が断続的であることから、発信機２からの通話信号でないことが判別でき、ＡＥＤ３が使用されたことが分かる。また解析装置６において、断続的な検知信号を受信した場合に出力装置６４にＡＥＤ３が使用されていることを表示させてもよいし、解析装置６と表示装置５１を接続端子ＬＸ１で接続して、ＡＥＤ３が使用されていることを管理者等に知らせるようにしてもよい。
【００３９】
また、別の実施例として、検知信号は連続する短絡でも良い。この場合、電話音響が発信機２からの通話信号かＡＥＤ３の使用による信号かは判別できないが、通常発信機２からの通話信号が発せられるのは、設備点検の際に、検査員が送受話器のプラグを発信機２の電話ジャック２２に差し込んで使用する場合が主である。従って、設備点検時でなければ、発信機２からの通話でないことが判るので、ＡＥＤ３が使用されていると判別できる。
【符号の説明】
【００４０】
１  消火栓収納箱、２  発信機、２１  非常ボタン、２２  電話ジャック、３  ＡＥＤ、４  使用検知装置、４１  通信部、４２  制御部、４３  記憶部、４４  取外検知部、４５  通話部、４６  表示部、５  火災受信機、５１，５２，５３，５４，５５  表示装置、６  解析装置、６１  定電圧回路、６２  電流検出回路、６３  制御部、６４  出力装置、７  マイク、８  スピーカー、９  通話ボタン、１０  液晶ディスプレイ、１１  表示灯、信号線  Ｌ、応答線  Ａ、共通線  Ｃ、電話線  Ｔ、ＬＸ１，ＬＸ２，ＬＸ３，ＬＸ４，ＬＸ５  接続端子
【図１】
2018106378.tif 000003
【図２】
2018106378.tif 000004
【図３】
2018106378.tif 000005
【図４】
2018106378.tif 000006
【図５】
2018106378.tif 000007
【図６】
2018106378.tif 000008
【図７】
2018106378.tif 000009
【図８】
2018106378.tif 000010